【手続補正書】
【提出日】平成24年8月7日(2012.8.7)
【手続補正１】
【補正対象書類名】明細書
【補正対象項目名】０００９
【補正方法】変更
【補正の内容】
【０００９】
本発明の目的を達成するために、例えば、本発明の画像処理装置は以下の構成を備える。即ち、垂直同期信号とラインイネーブル信号とを含む映像同期信号を処理して出力する画像処理装置であって、前記垂直同期信号のアサート開始を検知すると、カウントを開始する第１のカウント手段と、前記第１のカウント手段がまだ規定のアサート期間長をカウントし終えていない間は垂直同期マスク信号をアサートし、当該規定のアサート期間長をカウントし終えた時点で前記垂直同期マスク信号をデアサートする第１の処理手段と、前記垂直同期信号を前記垂直同期マスク信号でマスクした結果を、新たな垂直同期信号として出力する手段と、前記ラインイネーブル信号のアサート開始を検知すると、カウントを開始する第２のカウント手段と、前記第２のカウント手段がまだ規定のアサート期間長をカウントし終えていない間は前記ラインイネーブル信号をそのまま出力し、当該規定のアサート期間長をカウントし終えた時点で前記ラインイネーブル信号をデアサートして出力する第２の処理手段とを備えることを特徴とする。
【手続補正２】
【補正対象書類名】特許請求の範囲
【補正対象項目名】全文
【補正方法】変更
【補正の内容】
【特許請求の範囲】
【請求項１】
垂直同期信号とラインイネーブル信号とを含む映像同期信号を処理して出力する画像処理装置であって、
前記垂直同期信号のアサート開始を検知すると、カウントを開始する第１のカウント手段と、
前記第１のカウント手段がまだ規定のアサート期間長をカウントし終えていない間は垂直同期マスク信号をアサートし、当該規定のアサート期間長をカウントし終えた時点で前記垂直同期マスク信号をデアサートする第１の処理手段と、
前記垂直同期信号を前記垂直同期マスク信号でマスクした結果を、新たな垂直同期信号として出力する手段と、
前記ラインイネーブル信号のアサート開始を検知すると、カウントを開始する第２のカウント手段と、
前記第２のカウント手段がまだ規定のアサート期間長をカウントし終えていない間は前記ラインイネーブル信号をそのまま出力し、当該規定のアサート期間長をカウントし終えた時点で前記ラインイネーブル信号をデアサートして出力する第２の処理手段と
を備えることを特徴とする画像処理装置。
【請求項２】
前記第１のカウント手段は、前記垂直同期信号のアサート開始を検知するたびにカウント値Ｙに規定のアサート期間長を示す値ｋをセットし、１クロックサイクル経過する毎にカウント値Ｙを１つデクリメントし、
前記第１の処理手段は、前記カウント値Ｙ＞０の間は前記垂直同期マスク信号をアサートし、前記カウント値Ｙ＝０を検知した時点で前記垂直同期マスク信号をデアサートする
ことを特徴とする請求項１に記載の画像処理装置。
【請求項３】
前記値ｋは、（ラインイネーブル期間＋垂直バックポーチ期間＋垂直フロントポーチ期間）を示す値であることを特徴とする請求項２に記載の画像処理装置。
【請求項４】
前記第２のカウント手段は、前記ラインイネーブル信号のアサート開始を検知するたびにカウント値Ｘに規定のアサート期間長を示す値Ｌをセットし、１クロックサイクル経過する毎にカウント値Ｘを１つデクリメントし、
前記第２の処理手段は、前記カウント値Ｘ＞０の間は前記ラインイネーブル信号をそのまま出力し、前記カウント値Ｘ＝０を検知した時点で前記ラインイネーブル信号をデアサートして出力する
ことを特徴とする請求項１乃至３の何れか１項に記載の画像処理装置。
【請求項５】
前記値Ｌは、ラインイネーブル期間を示す値であることを特徴とする請求項４に記載の画像処理装置。
【請求項６】
水平同期信号とデータイネーブル信号とを含む映像同期信号を処理して出力する画像処理装置であって、
前記水平同期信号のアサート開始を検知すると、カウントを開始する第１のカウント手段と、
前記第１のカウント手段がまだ規定のアサート期間長をカウントし終えていない間は水平同期マスク信号をアサートし、当該規定のアサート期間長をカウントし終えた時点で前記水平同期マスク信号をデアサートする第１の処理手段と、
前記水平同期信号を前記水平同期マスク信号でマスクした結果を、新たな水平同期信号として出力する手段と、
前記データイネーブル信号のアサート開始を検知すると、カウントを開始する第２のカウント手段と、
前記第２のカウント手段がまだ規定のアサート期間長をカウントし終えていない間は前記データイネーブル信号をそのまま出力し、当該規定のアサート期間長をカウントし終えた時点で前記データイネーブル信号をデアサートして出力する第２の処理手段と
を備えることを特徴とする画像処理装置。
【請求項７】
前記第１のカウント手段は、前記水平同期信号のアサート開始を検知するたびにカウント値Ｗに規定のアサート期間長を示す値ｍをセットし、１クロックサイクル経過する毎にカウント値Ｗを１つデクリメントし、
前記第１の処理手段は、前記カウント値Ｗ＞０の間は前記水平同期マスク信号をアサートし、前記カウント値Ｗ＝０を検知した時点で前記水平同期マスク信号をデアサートする
ことを特徴とする請求項６に記載の画像処理装置。
【請求項８】
前記値ｍは、（データイネーブル期間＋水平バックポーチ期間＋水平フロントポーチ期間）を示す値であることを特徴とする請求項７に記載の画像処理装置。
【請求項９】
前記第２のカウント手段は、前記データイネーブル信号のアサート開始を検知するたびにカウント値Ｚに規定のアサート期間長を示す値ｎをセットし、１クロックサイクル経過する毎にカウント値Ｚを１つデクリメントし、
前記第２の処理手段は、前記カウント値Ｚ＞０の間は前記データイネーブル信号をそのまま出力し、前記カウント値Ｚ＝０を検知した時点で前記データイネーブル信号をデアサートして出力する
ことを特徴とする請求項６乃至８の何れか１項に記載の画像処理装置。
【請求項１０】
前記値ｎは、データイネーブル期間を示す値であることを特徴とする請求項９に記載の画像処理装置。
【請求項１１】
更に、
規定の有効データイネーブル数を示す初期値が設定されたカウント値Ｑを、前記データイネーブル信号のアサート開始を検知するたびに１つデクリメントする手段を備え、
前記第２の処理手段は更に、前記カウント値Ｑ＝０を検知した時点で前記データイネーブル信号をデアサートして出力する
ことを特徴とする請求項６乃至１０の何れか１項に記載の画像処理装置。
【請求項１２】
垂直同期信号とラインイネーブル信号とを含む映像同期信号を処理して出力する画像処理装置が行う画像処理方法であって、
前記画像処理装置の第１のカウント手段が、前記垂直同期信号のアサート開始を検知すると、カウントを開始する第１のカウント工程と、
前記画像処理装置の第１の処理手段が、前記第１のカウント工程でまだ規定のアサート期間長をカウントし終えていない間は垂直同期マスク信号をアサートし、当該規定のアサート期間長をカウントし終えた時点で前記垂直同期マスク信号をデアサートする第１の処理工程と、
前記画像処理装置の出力手段が、前記垂直同期信号を前記垂直同期マスク信号でマスクした結果を、新たな垂直同期信号として出力する工程と、
前記画像処理装置の第２のカウント手段が、前記ラインイネーブル信号のアサート開始を検知すると、カウントを開始する第２のカウント工程と、
前記画像処理装置の第２の処理手段が、前記第２のカウント工程でまだ規定のアサート期間長をカウントし終えていない間は前記ラインイネーブル信号をそのまま出力し、当該規定のアサート期間長をカウントし終えた時点で前記ラインイネーブル信号をデアサートして出力する第２の処理工程と
を備えることを特徴とする画像処理方法。
【請求項１３】
水平同期信号とデータイネーブル信号とを含む映像同期信号を処理して出力する画像処理装置が行う画像処理方法であって、
前記画像処理装置の第１のカウント手段が、前記水平同期信号のアサート開始を検知すると、カウントを開始する第１のカウント工程と、
前記画像処理装置の第１の処理手段が、前記第１のカウント工程でまだ規定のアサート期間長をカウントし終えていない間は水平同期マスク信号をアサートし、当該規定のアサート期間長をカウントし終えた時点で前記水平同期マスク信号をデアサートする第１の処理工程と、
前記画像処理装置の出力手段が、前記水平同期信号を前記水平同期マスク信号でマスクした結果を、新たな水平同期信号として出力する工程と、
前記画像処理装置の第２のカウント手段が、前記データイネーブル信号のアサート開始を検知すると、カウントを開始する第２のカウント工程と、
前記画像処理装置の第２の処理手段が、前記第２のカウント工程でまだ規定のアサート期間長をカウントし終えていない間は前記データイネーブル信号をそのまま出力し、当該規定のアサート期間長をカウントし終えた時点で前記データイネーブル信号をデアサートして出力する第２の処理工程と
を備えることを特徴とする画像処理方法。
【請求項１４】
コンピュータを、請求項１乃至１１の何れか１項に記載の画像処理装置の各手段として機能させるためのコンピュータプログラム。